【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
外部端末との無線通信が可能な電子機器であって、
前記電子機器を稼働待機状態から稼働状態に遷移させる第１の制御と、前記稼働状態にある前記電子機器に特定の動作を行わせる第２の制御と、を行う制御手段と、
前記稼働状態および前記稼働待機状態において、前記外部端末との無線通信に要した通信時間を計測することが可能な計測手段とを有し、
前記制御手段は、前記通信時間に対する閾値として第１の閾値および該第１の閾値より短い第２の閾値を設定し、前記稼働待機状態において前記通信時間が前記第１の閾値を下回ったとき前記第１の制御を行い、前記稼働状態において前記通信時間が前記第２の閾値を下回ったとき前記第２の制御を行うことを特徴とする電子機器。
【請求項２】
前記通信時間は、前記外部端末からビーコン信号が発信された時刻から前記電子機器が前記ビーコン信号を受信した時刻までの時間であることを特徴とする請求項１に記載の電子機器。
【請求項３】
前記電子機器は光源を有し、
前記稼働待機状態は前記光源が消灯している状態であり、
前記稼働状態は前記光源が点灯している状態であることを特徴とする請求項１または２に記載の電子機器。 
【請求項４】
前記電子機器は、前記光源からの光を光変調素子により変調して画像を投射する画像投射装置であることを特徴とする請求項３に記載の電子機器。 
【請求項５】
前記電子機器は、光源を有し、該光源の発光強度を第１の発光強度と該第１の発光強度より高い第２の発光強度とに切り替えることが可能であり、
前記制御手段は、前記稼働待機状態において前記通信時間が前記前記第１の閾値を下回ったとき、前記第１の制御を行うとともに前記第１の発光強度で前記光源を点灯させ、前記稼働状態において前記通信時間が前記第２の閾値を下回ったとき、前記第２の制御として前記発光強度を前記第２の発光強度に切り替えることを特徴とする請求項１から４のいずれか一項に記載の電子機器。
【請求項６】
前記電子機器は、複数の映像入力端子を備え、該複数の映像入力端子のうち映像信号が入力されている映像入力端子または入力されている映像信号の種類を表示する映像入力表示機能を有し、
前記制御手段は、前記第２の制御として前記電子機器に前記映像入力表示機能による表示を行わせることを特徴とする請求項１から４のいずれか一項に記載の電子機器。
【請求項７】
前記電子機器は、スピーカを備え、該スピーカから音声を出力する音声出力機能を有し、
前記制御手段は、前記第２の制御として前記電子機器に前記音声出力機能による音声出力を行わせることを特徴とする請求項１から４のいずれか一項に記載の電子機器。
【請求項８】
前記制御手段は、前記外部端末から取得した識別情報が登録済み識別情報と一致する場合に限り、前記通信時間に応じて前記第１の制御または前記第２の制御の少なくとも一方を行うことを特徴とする請求項１から７のいずれか一項に記載の電子機器。
【請求項９】
外部端末との無線通信が可能な電子機器であって、
稼働状態にある前記電子機器に特定の動作を行わせる第３の制御と、前記電子機器を前記稼働状態から稼働待機状態に遷移させる第４の制御と、を行う制御手段と、
前記外部端末との無線通信に要した通信時間を計測することが可能な計測手段とを有し、
前記制御手段は、前記通信時間に対する閾値として第３の閾値および該第３の閾値より長い第４の閾値を設定し、前記通信時間が前記第３の閾値を上回ったとき前記第３の制御を行い、前記通信時間が前記第４の閾値を上回ったとき前記第４の制御を行うことを特徴とする電子機器。
【請求項１０】
前記通信時間は、前記外部端末からビーコン信号が発信された時刻から前記電子機器が前記ビーコン信号を受信した時刻までの時間であることを特徴とする請求項９に記載の電子機器。
【請求項１１】
前記電子機器は光源を有し、
前記稼働待機状態は前記光源が消灯している状態であり、
前記稼働状態は前記光源が点灯している状態であることを特徴とする請求項９または１０に記載の電子機器。
【請求項１２】
前記電子機器は、前記光源からの光を光変調素子により変調して画像を投射する画像投射装置であることを特徴とする請求項１１に記載の電子機器。
【請求項１３】
前記電子機器は、光源を有し、該光源の発光強度を第３の発光強度と該第３の発光強度より低い第４の発光強度とに切り替えることが可能であり、
前記制御手段は、前記光源が前記第３の発光強度で点灯している状態において前記通信時間が前記第３の閾値を上回ったとき、前記第３の制御として前記発光強度を前記第４の発光強度に切り替えることを特徴とする請求項９から１２のいずれか一項に記載の電子機器。
【請求項１４】
前記電子機器は、入力される映像信号にかかわらず特定映像を表示することが可能であり、
前記制御手段は、前記第３の制御として前記特定映像を表示させることを特徴とする請求項９から１２のいずれか一項に記載の電子機器。
【請求項１５】
前記制御手段は、前記外部端末から取得した識別情報が登録済み識別情報と一致する場合に限り、前記通信時間に応じて前記第３の制御または前記第４の制御の少なくとも一方を行うことを特徴とする請求項９から１４のいずれか一項に記載の電子機器。
【請求項１６】
前記無線通信は、無線ＬＡＮまたはBluetooth（登録商標）を用いて行われることを特徴とする請求項１から１５のいずれか一項に記載の電子機器。
【請求項１７】
外部端末との無線通信が可能な電子機器の制御方法であって、
該電子機器の稼働状態および稼働待機状態において、前記外部端末との無線通信に要する通信時間を計測するステップと、
前記通信時間に対する閾値として第１の閾値および該第１の閾値より短い第２の閾値を設定し、前記稼働待機状態において前記通信時間が前記第１の閾値を下回ったとき、前記電子機器を前記稼働待機状態から前記稼働状態に遷移させる第１の制御を行い、前記稼働状態において前記通信時間が前記第２の閾値を下回ったとき、前記稼働状態にある前記電子機器に特定の動作を行わせる第２の制御を行うステップとを有することを特徴とする電子機器の制御方法。
【請求項１８】
外部端末との無線通信が可能な電子機器の制御方法であって、
該電子機器の稼働状態および稼働待機状態において、前記外部端末との無線通信に要する通信時間を計測するステップと、
前記通信時間に対する閾値として第３の閾値および該第３の閾値より長い第４の閾値を設定し、前記通信時間が前記第３の閾値を上回ったとき、前記稼働状態にある前記電子機器に特定の動作を行わせる第３の制御を行い、前記通信時間が前記第４の閾値を上回ったとき、前記電子機器を前記稼働状態から前記稼働待機状態に遷移させる第４の制御を行うステップとを有することを特徴とする電子機器の制御方法。
【請求項１９】
外部端末との無線通信が可能な電子機器のコンピュータに処理を実行させるコンピュータプログラムであって、
前記処理は、
該電子機器の稼働状態および稼働待機状態において、前記外部端末との無線通信に要する通信時間を計測する処理と、
前記通信時間に対する閾値として第１の閾値および該第１の閾値より短い第２の閾値を設定し、前記稼働待機状態において前記通信時間が前記第１の閾値を下回ったとき、前記電子機器を前記稼働待機状態から前記稼働状態に遷移させる第１の制御を行い、前記稼働状態において前記通信時間が前記第２の閾値を下回ったとき、前記稼働状態にある前記電子機器に特定の動作を行わせる第２の制御を行う処理とを含むことを特徴とする制御プログラム。
【請求項２０】
外部端末との無線通信が可能な電子機器のコンピュータに処理を実行させるコンピュータプログラムであって、
前記処理は、
該電子機器の稼働状態および稼働待機状態において、前記外部端末との無線通信に要する通信時間を計測する処理と、
前記通信時間に対する閾値として第３の閾値および該第３の閾値より長い第４の閾値を設定し、前記通信時間が前記第３の閾値を上回ったとき、前記稼働状態にある前記電子機器に特定の動作を行わせる第３の制御を行い、前記通信時間が前記第４の閾値を上回ったとき、前記電子機器を前記稼働状態から前記稼働待機状態に遷移させる第４の制御を行う処理とを含むことを特徴とする制御プログラム。
【手続補正２】
【補正対象書類名】明細書
【補正対象項目名】０００７
【補正方法】変更
【補正の内容】
【０００７】
本発明の一側面としての電子機器は、外部端末との無線通信が可能な電子機器であり、該電子機器を稼働待機状態から稼働状態に遷移させる第１の制御と、稼働状態にある電子機器に特定の動作を行わせる第２の制御と、を行う制御手段と、稼働状態および稼働待機状態において、外部端末との無線通信に要した通信時間を計測することが可能な計測手段とを有する。制御手段は、通信時間に対する閾値として第１の閾値および該第１の閾値より短い第２の閾値を設定し、稼働待機状態において通信時間が第１の閾値を下回ったとき第１の制御を行い、稼働状態において通信時間が第２の閾値を下回ったとき第２の制御を行うことを特徴とする。
【手続補正３】
【補正対象書類名】明細書
【補正対象項目名】０００８
【補正方法】変更
【補正の内容】
【０００８】
また、本発明の他の一側面としての制御方法は、外部端末との無線通信が可能な電子機器に適用される。該制御方法は、電子機器の稼働状態および稼働待機状態において、外部端末との無線通信に要する通信時間を計測するステップと、通信時間に対する閾値として第１の閾値および該第１の閾値より短い第２の閾値を設定し、稼働待機状態において通信時間が第１の閾値を下回ったとき、電子機器を稼働待機状態から稼働状態に遷移させる第１の制御を行い、稼働状態において通信時間が第２の閾値を下回ったとき、稼働状態にある電子機器に特定の動作を行わせる第２の制御を行うステップとを有することを特徴とする。